(57)【要約】【課題】現在の位置に応じた設定のし忘れによる弊害を解消しユーザに対する利便性を向上させること。【解決手段】位置情報に関連する動作情報を記憶する主記憶部２０と、現在の位置情報を検出する位置検出部４０と、位置検出部４０により検出された現在の位置情報に関連する動作情報を主記憶部２０から読み出し、読み出された当該動作情報に応じて動作を制御するＣＰＵ１０と、を備える携帯機器１。【選択図】図１
2007266928.tif 000002
【特許請求の範囲】
【請求項１】
位置情報に関連する動作情報を記憶する動作情報記憶手段と、
現在の前記位置情報を検出する位置検出手段と、
前記位置検出手段により検出された前記現在の位置情報に関連する動作情報を前記動作情報記憶手段から読み出し、読み出された当該動作情報に応じて動作を制御する制御手段と、
を備えること、
を特徴とする携帯機器。
【請求項２】
画像を記憶する画像記憶手段と、
前記画像記憶手段に記憶されている前記画像を表示する表示手段と、
を備え、
前記動作情報記憶手段は、
前記画像記憶手段に記憶されている画像を前記表示手段に表示させる際の表示動作が表示条件に基づいて制限される領域を示す制限領域を前記位置情報に関連する動作情報として記憶し、
前記制御手段は、
前記位置検出手段により検出された前記現在の位置情報が、前記動作情報記憶手段に記憶されている前記制限領域に含まれる場合、前記表示条件に応じて前記画像記憶手段に記憶されている画像に対する表示動作を制御すること、
を特徴とする請求項１記載の携帯機器。
【請求項３】
前記画像記憶手段は、
画像を記憶する複数のフォルダを備えて構成されており、
前記動作情報記憶手段は、
前記動作情報を前記フォルダ毎に対応付けて記憶しており、
前記制御手段は、
前記位置検出手段により検出された前記現在の位置情報が、前記動作情報記憶手段に記憶されている前記制限領域に含まれる場合、前記フォルダ毎に、前記表示条件に応じて前記画像記憶手段に記憶されている画像に対する表示動作を制御すること、
を特徴とする請求項２記載の携帯機器。
【請求項４】
前記画像記憶手段は、複数の画像を記憶しており、
前記動作情報記憶手段は、
前記動作情報を前記画像毎に対応付けて記憶しており、
前記制御手段は、
前記位置検出手段により検出された前記現在の位置情報が、前記動作情報記憶手段に記憶されている前記制限領域に含まれる場合、前記画像毎に、前記表示条件に応じて前記画像記憶手段に記憶されている画像に対する表示動作を制御すること、
を特徴とする請求項２記載の携帯機器。
【請求項５】
位置情報の指定を受け付ける位置情報入力手段を備え、
前記制御手段は、
前記位置情報入力手段により受け付けられた位置情報に基づいて前記制限領域を設定し、設定された当該制限領域を前記動作情報記憶手段に記憶させること、
を特徴とする請求項２から４のいずれか一項に記載の携帯機器。
【請求項６】
前記制限領域は、前記画像の表示動作が禁止される領域を示す表示禁止領域であり、
前記表示条件は、前記画像記憶手段に記憶されている画像毎に定められた前記表示禁止領域内における表示動作を適用するか否かを示す条件であり、
前記記制御手段は、
前記画像記憶手段に記憶されている画像毎の前記表示条件に応じて、前記位置検出手段により検出された前記現在の位置情報が前記表示禁止領域に含まれる場合、前記画像記憶手段に記憶されている画像の表示動作を禁止し、前記表示禁止領域に含まれない場合、前記画像記憶手段に記憶されている画像の表示動作を許可すること、
を特徴とする請求項２から５のいずれか一項に記載の携帯機器。
【請求項７】
前記制限領域は、前記画像の表示動作が許可される領域を示す表示許可領域であり、
前記表示条件は、前記画像記憶手段に記憶されている画像毎に定められた前記表示許可領域に応じた表示動作を適用するか否かを示す条件であり、
前記制御手段は、
前記画像記憶手段に記憶されている画像毎の前記表示条件に応じて、前記位置検出手段により検出された前記現在の位置情報が前記表示許可領域に含まれる場合、前記画像記憶手段に記憶されている画像の表示動作を許可し、前記表示許可領域に含まれない場合、前記画像記憶手段に記憶されている画像の表示動作を禁止すること、
を特徴とする請求項２から５のいずれか一項に記載の携帯機器。
【請求項８】
被写体を撮影する撮像手段と、
前記位置検出手段により検出された前記現在の位置情報に基づき、文字列又は記号から構成されるランドマーク情報を含む地図情報を取得する地図情報取得手段と、
を備え、
前記動作情報記憶手段は、
前記位置情報に基づいて取得された地図情報に含まれる前記ランドマーク情報を構成する文字列又は記号に関連した撮影条件を前記位置情報に関連する動作情報として予め記憶しており、
前記制御手段は、
前記地図情報取得手段により取得された前記地図情報に含まれるランドマーク情報から、当該ランドマーク情報を構成する文字列又は記号に関連した撮影条件を前記動作情報記憶手段から読み出し、読み出された当該撮影条件に応じて前記撮像手段の動作を制御すること、
を特徴とする請求項１から７のいずれか一項に記載の携帯機器。
【請求項９】
コンピュータに、
位置情報に関連する動作情報を記憶する動作情報記憶手段、
現在の前記位置情報を検出する位置検出手段、
前記位置検出手段により検出された前記現在の位置情報に関連する動作情報を前記動作情報記憶手段から読み出し、読み出された当該動作情報に応じて動作を制御する制御手段、
として機能させるためのプログラム。
【発明の詳細な説明】
【技術分野】
【０００１】
本発明は、携帯可能な携帯機器及びプログラムに関する。
【背景技術】
【０００２】
近年、撮影者により撮影された被写体の画像データを記憶するメモリと、このメモリ内に記憶された画像データを表示又は再生する表示部とを備えたデジタルカメラやデジタルビデオ等の撮像装置が実用化されている。
【０００３】
このような撮影装置は、撮影者でなくとも自由にメモリ内に記憶された画像データを表示又は再生することができるため、秘密保持という点において問題があった。
【０００４】
そこで、画像データを入力されているパスワードに対応付けてデータメモリに記憶させ、画像データの再生時、入力されたパスワードと、画像データに対応付けて記憶されているパスワードとを照合し、一致したときのみ、パスワードに対応付けられた画像データを再生するデジタルカメラが開示されている（特許文献１参照）。
【特許文献１】特開２０００−１２５２３７号公報
【発明の開示】
【発明が解決しようとする課題】
【０００５】
しかしながら、特許文献１の様な従来の構成では、撮影する度にパスワードを入力しなくてはならない点と、再生時にもパスワードを入力しなくてはならない点から、パスワード忘れによって画像データを再生出来ないという不具合が生じ、煩雑な操作であり使い勝手が良いものではない。
【０００６】
例えば、撮像装置のメモリ内に記憶されている画像データが仕事に関する画像データとプライベートに関する画像データとが混在している場合、プライベートに関する画像データの表示又は再生に関して設定をし忘れると、仕事場でプライベートに関する画像データが誤って他の人に公開されてしまう怖れがあり、その都度、画像データに関して設定を行わなくてはならず、煩雑な作業となるという問題がある。このように、ユーザの現在の位置に応じた設定のし忘れによってユーザが不便を強いられることは他にも挙げることができ、例えば、撮影時においてシャッター速度や彩度、スラッシュの有無等の設定を撮影場所に応じた設定にし忘れると不鮮明な画像となり、撮影チャンスを逃すことがある。
【０００７】
本発明の課題は、上記問題に鑑みて、現在の位置に応じた設定のし忘れによる弊害を解消しユーザに対する利便性を向上させることである。
【課題を解決するための手段】
【０００８】
請求項１に記載の発明は、位置情報に関連する動作情報を記憶する動作情報記憶手段と、現在の前記位置情報を検出する位置検出手段と、前記位置検出手段により検出された前記現在の位置情報に関連する動作情報を前記動作情報記憶手段から読み出し、読み出された当該動作情報に応じて動作を制御する制御手段と、を備える携帯機器であること、を特徴としている。
更に、コンピュータに対して、上述した請求項１に記載の発明に示した主要手段を機能させるためのプログラムを提供する（請求項９に記載の発明）。
【０００９】
請求項２に記載の発明は、請求項１記載の携帯機器において、画像を記憶する画像記憶手段と、前記画像記憶手段に記憶されている前記画像を表示する表示手段と、を備え、前記動作情報記憶手段は、前記画像記憶手段に記憶されている画像を前記表示手段に表示させる際の表示動作が表示条件に基づいて制限される領域を示す制限領域を前記位置情報に関連する動作情報として記憶し、前記制御手段は、前記位置検出手段により検出された前記現在の位置情報が、前記動作情報記憶手段に記憶されている前記制限領域に含まれる場合、前記表示条件に応じて前記画像記憶手段に記憶されている画像に対する表示動作を制御すること、を特徴としている。
【００１０】
請求項３に記載の発明は、請求項２記載の携帯機器において、前記画像記憶手段は、画像を記憶する複数のフォルダを備えて構成されており、前記動作情報記憶手段は、前記動作情報を前記フォルダ毎に対応付けて記憶しており、前記制御手段は、前記位置検出手段により検出された前記現在の位置情報が、前記動作情報記憶手段に記憶されている前記制限領域に含まれる場合、前記フォルダ毎に、前記表示条件に応じて前記画像記憶手段に記憶されている画像に対する表示動作を制御すること、を特徴としている。
【００１１】
請求項４に記載の発明は、請求項２記載の携帯機器において、前記画像記憶手段は、複数の画像を記憶しており、前記動作情報記憶手段は、前記動作情報を前記画像毎に対応付けて記憶しており、前記制御手段は、前記位置検出手段により検出された前記現在の位置情報が、前記動作情報記憶手段に記憶されている前記制限領域に含まれる場合、前記画像毎に、前記表示条件に応じて前記画像記憶手段に記憶されている画像に対する表示動作を制御すること、を特徴としている。
【００１２】
請求項５に記載の発明は、請求項２から４のいずれか一項に記載の携帯機器において、位置情報の指定を受け付ける位置情報入力手段を備え、前記制御手段は、前記位置情報入力手段により受け付けられた位置情報に基づいて前記制限領域を設定し、設定された当該制限領域を前記動作情報記憶手段に記憶させること、を特徴としている。
【００１３】
請求項６に記載の発明は、請求項２から５のいずれか一項に記載の携帯機器において、前記制限領域は、前記画像の表示動作が禁止される領域を示す表示禁止領域であり、前記表示条件は、前記画像記憶手段に記憶されている画像毎に定められた前記表示禁止領域内における表示動作を適用するか否かを示す条件であり、前記記制御手段は、前記画像記憶手段に記憶されている画像毎の前記表示条件に応じて、前記位置検出手段により検出された前記現在の位置情報が前記表示禁止領域に含まれる場合、前記画像記憶手段に記憶されている画像の表示動作を禁止し、前記表示禁止領域に含まれない場合、前記画像記憶手段に記憶されている画像の表示動作を許可すること、を特徴としている。
【００１４】
請求項７に記載の発明は、請求項２から５のいずれか一項に記載の携帯機器において、前記制限領域は、前記画像の表示動作が許可される領域を示す表示許可領域であり、前記表示条件は、前記画像記憶手段に記憶されている画像毎に定められた前記表示許可領域に応じた表示動作を適用するか否かを示す条件であり、前記制御手段は、前記画像記憶手段に記憶されている画像毎の前記表示条件に応じて、前記位置検出手段により検出された前記現在の位置情報が前記表示許可領域に含まれる場合、前記画像記憶手段に記憶されている画像の表示動作を許可し、前記表示許可領域に含まれない場合、前記画像記憶手段に記憶されている画像の表示動作を禁止すること、を特徴としている。
【００１５】
請求項８に記載の発明は、請求項１から７のいずれか一項に記載の携帯機器において、被写体を撮影する撮像手段と、前記位置検出手段により検出された前記現在の位置情報に基づき、文字列又は記号から構成されるランドマーク情報を含む地図情報を取得する地図情報取得手段と、を備え、前記動作情報記憶手段は、前記位置情報に基づいて取得された地図情報に含まれる前記ランドマーク情報を構成する文字列又は記号に関連した撮影条件を前記位置情報に関連する動作情報として予め記憶しており、前記制御手段は、前記地図情報取得手段により取得された前記地図情報に含まれるランドマーク情報から、当該ランドマーク情報を構成する文字列又は記号に関連した撮影条件を前記動作情報記憶手段から読み出し、読み出された当該撮影条件に応じて前記撮像手段の動作を制御すること、を特徴としている。
【発明の効果】
【００１６】
請求項１、９に記載の発明によれば、現在の位置情報に応じて動作が制御されるため、現在の位置に応じた設定のし忘れによる弊害を解消しユーザに対する利便性を向上させることができる。
【００１７】
請求項２に記載の発明によれば、請求項１と同様の効果を得られるのは勿論のこと、現在の位置情報が制限領域に含まれる場合、表示条件に応じて画像に対する表示動作を制御することができるため、画像記憶手段内に記憶されている画像が仕事に関する画像とプライベートに関する画像とが混在している場合であっても、仕事場とプライベートの環境を制限領域とすることで、画像の表示動作を自動的に切り替えることができ、仕事場でプライベートに関する画像が誤って他の人に公開されてしまう弊害を解消することができ、ユーザに対する利便性を向上させることができる。
【００１８】
請求項３に記載の発明によれば、請求項２と同様の効果を得られるのは勿論のこと、フォルダ毎に、現在の位置情報が制限領域に含まれる場合、表示条件に応じて画像に対する動作を制御することができる。
【００１９】
請求項４に記載の発明によれば、請求項２と同様の効果を得られるのは勿論のこと、画像毎に、現在の位置情報が制限領域に含まれる場合、表示条件に応じて画像に対する動作を制御することができる。
【００２０】
請求項５に記載の発明によれば、請求項２から４のいずれか一項と同様の効果を得られるのは勿論のこと、位置情報入力手段により受け付けられた位置情報に基づいて制限領域を設定することができるため、ユーザが所望する制限領域を設定することができ、ユーザに対する利便性を向上させることができる。
【００２１】
請求項６に記載の発明によれば、請求項２から５のいずれか一項と同様の効果を得られるのは勿論のこと、画像記憶手段に記憶されている画像毎の表示条件に応じて、現在の位置情報が表示禁止領域に含まれる場合、画像の表示動作を禁止して非表示とすることができ、表示禁止領域に含まれない場合、画像の表示動作を許可して表示させることができる。従って、例えば表示禁止領域を仕事場とした場合、仕事場でプライベートに関する画像が誤って他の人に公開されてしまう弊害を解消することができ、ユーザに対する利便性を向上させることができる。
【００２２】
請求項７に記載の発明によれば、請求項２から５のいずれか一項と同様の効果を得られるのは勿論のこと、画像記憶手段に記憶されている画像毎の表示条件に応じて、現在の位置情報が表示許可領域に含まれる場合、画像の表示動作を許可して表示させることができ、表示許可領域に含まれない場合、画像の表示動作を禁止して非表示とさせることができる。従って、例えば表示許可領域をプライベートの場所とした場合、プライベートの場所以外で、プライベートに関する画像が誤って他の人に公開されてしまう弊害を解消することができ、ユーザに対する利便性を向上させることができる。
【００２３】
請求項８に記載の発明によれば、請求項１から７のいずれか一項と同様の効果を得られるのは勿論のこと、位置検出手段により検出された現在の位置情報に基づき、地図情報取得手段により取得された地図情報に含まれるランドマーク情報から、当該ランドマーク情報を構成する文字列又は記号に関連した撮影条件を動作情報記憶手段から読み出し、読み出された撮影条件に応じて撮像手段の動作を制御することができるため、例えば、撮影時において撮影条件を設定し忘れて不鮮明な画像を得てしまうという弊害を解消することができ、ユーザに対する利便性を向上させることができる。
【発明を実施するための最良の形態】
【００２４】
以下、図を参照して本発明の実施の形態を詳細に説明する。なお、この発明にはこの実施の形態に限定されるものではない。また、この発明の実施の形態は、発明の最も好ましい形態を示すものであり、この発明の用語はこれに限定されない。
【００２５】
[実施の形態１]
以下、図１〜９を参照して本発明の実施の形態１を詳細に説明する。
まず、構成を説明する。
図１に、本実施の形態１における携帯機器１の構成を示すブロック図を示す。
【００２６】
携帯機器１としては、デジタルカメラ、デジタルビデオカメラは勿論のこと、撮影機能及び画像表示機能を備えた携帯電話、ＰＤＡ（Personal Digital Assistant）等を適用することができる。
【００２７】
携帯機器１は、ＣＰＵ（Central Processing Unit）１０、主記憶部２０、画像記憶部３０、位置検出部４０、入力部５０、表示部６０、音声入出力部７０、撮像部８０、通信部９０等を備えて構成されており、各部は電気的に接続されている。
【００２８】
ＣＰＵ１０は、主記憶部２０に記憶されているシステムプログラムを読み出し、主記憶部２０内に形成されたワークエリアに展開し、該システムプログラムに従って各部を制御する。
【００２９】
また、ＣＰＵ１０は、位置検出部４０により検出された現在の位置情報に関連する動作情報を主記憶部２０から読み出し、読み出された動作情報に応じて携帯機器１内の動作を制御する制御手段であり、詳しくは、主記憶部２０に記憶されている表示禁止領域設定処理プログラム、表示禁止画像設定処理プログラム、第１表示処理プログラム、撮影条件設定処理プログラムを始めとする各種処理プログラムや各種データを読み出してワークエリアに展開し、その展開されたプログラムに従って、後述する表示禁止領域設定処理（図３参照）、表示禁止画像設定処理（図６参照）、第１表示処理（図８参照）、撮影条件設定処理（図９参照）を始めとする各種処理を実行する。
【００３０】
ＣＰＵ１０は、表示禁止領域設定処理プログラムを実行することにより、画像記憶部３０に記憶されている画像を表示部６０に表示させる際の表示動作が画像毎に定められた表示条件に基づいて制限される領域を示す制限領域を設定する。本実施の形態１における制限領域としては、表示条件に基づいて画像データに基づく画像を表示部６０に表示させる表示動作が禁止される領域を示す表示禁止領域である。
【００３１】
ＣＰＵ１０は、表示禁止画像設定処理プログラムを実行することにより、画像記憶部３０に記憶されている画像データに基づく画像を表示部６０に表示させる際の表示条件を設定する。本実施の形態１における表示条件としては、画像記憶部３０に記憶されている画像データ毎に定められており、表示部６０に画像記憶部３０に記憶されている画像データを画像として表示させる際、表示禁止領域内における表示動作が適用されるか否かを示す条件である。即ち、後述する表示禁止領域内において画像データを表示部６０に表示させない、即ち、非表示とするか否かの条件である。
【００３２】
ＣＰＵ１０は、第１表示処理プログラムを実行することにより、画像毎の表示条件に応じて、位置検出部４０により検出された現在の位置情報が制限領域としての表示禁止領域に含まれる場合、画像記憶部３０に記憶されている画像データに基づく画像を表示部６０に表示させる表示動作を禁止して非表示にさせ、表示禁止領域に含まれない場合、画像記憶部３０に記憶されている画像データに基づく画像を表示部６０に表示させる表示動作を許可して表示させる。
【００３３】
また、ＣＰＵ１０は、撮影条件設定プログラムを実行することにより、位置検出部４０により検出された現在の位置情報に基づいて通信部９０により取得された後述する地図情報に含まれるランドマーク情報から、各ランドマーク情報を構成する文字又は記号に関連した撮影条件を主記憶部２０から読み出し、読み出した撮影条件に応じて撮像部８０の動作を制御する。
【００３４】
主記憶部２０は、書き換え可能な不揮発性の記憶媒体であり、表示禁止領域設定処理プログラム、表示禁止画像設定処理プログラム、第１表示処理プログラム、等の各種処理プログラム、撮影条件設定プログラムや、必要な各種データを予め記憶していると共に、入力部５０により受け付けられた位置情報に基づいて設定された表示禁止領域を示す表示禁止領域テーブル、画像データ毎又は複数の画像データが記憶されたフォルダ毎に対して設定された画像表示条件テーブル、地図情報に含まれるランドマーク情報を構成する文字列又は記号が示す立地条件や施設名における最適な撮影条件が予め設定された撮影条件テーブル及び予め記憶されているサンプル画像としての各種画像データ、が記憶され、また各種処理が実行されるワークエリアを形成する。
【００３５】
主記憶部２０は、画像表示条件テーブルと表示禁止領域テーブルとを位置情報に関連する動作情報として記憶すると共に、撮影条件テーブルを位置情報に関連する動作情報として記憶する動作情報記憶手段としての機能を実現する。
【００３６】
図２に、撮影条件テーブルの一例を示す。
図２に示すように、撮影条件テーブルＴ１は、地図情報上に表示されるランドマーク情報を構成する文字列又は記号が示す立地条件や施設名等の名称を示す名称フィールドＴ１１、名称に対する最適な撮影条件を示す撮影条件フィールドＴ１２、名称に対して最適な画像として表示部６０の表示画面上に表示されるサンプル画像の画像データが記憶された格納アドレスを示すアドレスフィールドＴ１３、からなるレコードが複数集まって形成されているデータテーブルである。
【００３７】
ランドマーク情報とは、例えば、「ＡＢＣ海岸」等の地名や、「ＤＥ美術館」や「ＦＧＨ動物園」等の施設名称などの、地図上に掲載されている町名、駅名、建物名、山や河川名などの文字列や記号である。
【００３８】
名称フィールドＴ１１が示す名称としては、例えば、「海岸」、「美術館」、「動物園」等のランドマーク情報を構成する文字又は記号に含まれる語句から示される立地条件や施設名称等の一般的な特徴を示す名称である。
【００３９】
撮影条件フィールドＴ１２は、各種撮影条件フィールドから成り、各種撮影条件としては、フォーカス距離（焦点距離）、シャープネス（鮮鋭性）、彩度、シャッター速度、ホワイトバランス、フィルタ、コントラスト、ストロボの発光条件等の撮影時に設定可能な各種条件を挙げることができる。
【００４０】
画像記憶部３０は、書き換え可能な不揮発性の記憶媒体であり、制御基板等に固定的に設けられるもの、若しくは着脱自在に装着するものであってもよく、インターフェイスを介して書き換え可能なものでも良く、例えば、フラッシュメモリやメモリカード等を挙げることができる。また、画像記憶部３０は、撮像部８０により取得された画像データを記憶する画像記憶手段である。画像記憶部３０は、画像データを個別に記憶しても、複数の画像データをまとめて１つのフォルダを複数備える構成であってもよく、これに限らない。
【００４１】
位置検出部４０は、ＧＰＳ（Global Positioning System）アンテナ４１とＧＰＳ制御部４２とを備えている。位置検出部４０は、ＧＰＳ制御部４２により、ＣＰＵ１０からの指示信号に基づき、ＧＰＳアンテナ４１を介して複数のＧＰＳ衛星（NAVSTAR）から発信される信号を受信し、受信した信号から携帯機器１の現在の位置情報（緯度及び経度）を演算により算出し、算出した現在の位置情報をＣＰＵ１０に出力する位置検出手段である。
【００４２】
入力部５０は、電源釦、シャッター釦、表示部６０の表示画面上のカーソル位置の移動を行う上下左右の各方向を指示するための十字釦、各種設定釦、決定釦、表示部６０上の表示画面上を覆うように設けられたタッチパネル等を備えており、ユーザによる各種釦の操作に応じた操作信号をＣＰＵ１０に出力する。また、入力部５０は、表示禁止領域を設定する際にユーザが所望する位置情報の指定を受け付ける位置情報入力手段と、各画像データに対する表示条件の指定を受け付ける機能を実現する。
【００４３】
表示部６０は、ＬＣＤ（Liquid Crystal Display）等のモニタ及びバックライト等により構成され、ＣＰＵ１０から入力される表示信号の指示に従って、撮影しようとする画像及び画像記憶部３０に記憶されている撮影された画像データ等を表示画面上に表示する表示手段である。
【００４４】
音声入出力部７０は、音声処理部７１、スピーカー７２、マイク７３等により構成される。音声入出力部７０は、音声処理部７１によりＣＰＵ１０から入力される指示に従って、マイク７３により収集された音声を音声データとして画像記憶部３０に記憶させ、また、画像記憶部３０に記憶された音声データや携帯機器１の操作を示す操作ガイド音声や操作音などをスピーカーから発する。
【００４５】
撮像部８０は、被写体の光学画像を電気信号に変換して画像データを取得する撮像手段としての機能を有する。撮像部８０は、撮影レンズ及び絞り機構を含むレンズブロック８１、モータ８２、モータドライバ８３、ＣＣＤ（Charge Coupled Device）８４、垂直／水平ドライバ８５、ＣＤＳ／ＡＤ回路部８６、画像処理部８７、タイミング発生器８８、ストロボ８９等を備えて構成されている。
【００４６】
撮像レンズを通過した被写体像は、絞り機構を介してＣＣＤ８４上に結像される。
そして撮像レンズ及び絞り機構を含むレンズブロック８１は、モータドライバ８３によって、タイミング発生器８８から入力されるタイミング信号に応じてモータ８２が駆動されることにより焦点合わせのためにレンズ位置が移動され、また、適切な露出となるように絞り量が制御される。
【００４７】
ＣＣＤ８４に被写体が結像されると、ＣＣＤ８４には入射光量に応じた電荷が蓄積され、この電荷はタイミング発生器８８から入力されるタイミング信号に応じて垂直／水平ドライバ８５から与えられる駆動パルス信号によって順次読み出され、ＣＤＳ／ＡＤ回路部８６において、アナログ信号の状態で色分離やゲイン調整、ホワイトバランス等の各種処理が行われ、処理された信号がデジタル画像データ（以下、画像データという。）として画像処理部８７に出力される。
【００４８】
画像処理部８７に入力された画像データは、ＣＰＵ１０からの制御信号に基づいて、輝度信号及び色差信号に変換され、表示部６０の表示画面上に表示される。また、画像処理部８７において処理された画像データは、画像記憶部３０に記録される。
【００４９】
ストロボ８９は、入力部５０からの操作信号及びＣＰＵ１０からの制御信号に基づいて、被写体の撮影時に発光される。
【００５０】
通信部９０は、公衆回線網上の無線基地局を介して地図情報サーバ２との間で地図情報等の各種データの通信を行う。通信部９０は、位置検出部４０により検出された現在の位置情報や入力部５０から入力された住所を地図情報サーバ２に送信し、文字列又は記号から構成されるランドマーク情報を含む地図情報を取得し、ＣＰＵ１０に出力する地図情報取得手段の機能を実現する。
【００５１】
通信部９０の無線信号の変復調方式としては、例えば、ＰＳＫ（Phase Shift Keying）方式、ＰＤＣ（Personal Digital Cellular）方式、ＣＤＭＡ（Code Division Multiple Access）方式、ＧＭＳ（Global System for Mobile communication）方式等を利用することができ、これらに限らない。
【００５２】
地図情報サーバ２は、現在の位置情報としての緯度及び経度情報に基づいて、携帯機器１の現在の位置を特定し、この現在の位置に基づいて地図情報サーバ２のデータベースに予め登録された地図情報から携帯機器１の周辺の地理を示す地図情報を読み出し、この地図情報を送信する。また、地図情報サーバ２は、住所に基づいて地図情報サーバ２のデータベースに予め登録された地図情報から住所の周辺の地理を示す地図情報を読み出し、この地図情報を送信する。
【００５３】
次に、本実施の形態１の動作を説明する。
図３に本実施の形態１における表示禁止領域設定処理のフローチャートを示す。
図３に示す表示禁止領域設定処理は、ＣＰＵ１０と主記憶部２０に記憶されている表示禁止領域設定処理プログラムとの協働によるソフトウエア処理により実現される処理である。
【００５４】
入力部５０により表示禁止領域の設定指示を行う旨の設定釦が押下されたか否か、即ち、表示禁止領域の設定指示が受け付けられたか否かが判別され（ステップＳ１）、表示禁止領域の設定指示が受け付けられていないと判別された場合（ステップＳ１；Ｎｏ）、表示禁止領域の設定指示が受け付けられるまで待機する。
【００５５】
表示禁止領域の設定指示が受け付けられた判別された場合（ステップＳ１；Ｙｅｓ）、住所入力を受け付ける住所入力画面が表示部６０の表示画面上に表示され、入力部５０から住所の入力が受け付けられる（ステップＳ２）。住所の入力としては、例えば、入力部５０の各種設定釦により直接住所が入力される場合の他にも、郵便番号が入力されたり、地域名・都道府県名・市町村名・町名・番地名をプルダウンメニューから選択させて入力されたりすることによって住所が特定されて入力されることとしてもよい。
【００５６】
住所が受け付けられると（ステップＳ２後）、受け付けられた住所に基づく周辺の地図情報が取得される（ステップＳ３）。例えば、予め主記憶部２０内に地図情報を記憶しておき、この地図情報から受け付けられた住所に基づく周辺の地図情報を取得したり、通信部９０を介して受け付けられた住所を地図情報サーバ２に送信して、地図情報サーバ２から受け付けられた住所に基づく周辺の地図情報を取得したりしてもよい。
【００５７】
受け付けられた住所に基づく周辺の地図情報が取得されると（ステップＳ３後）、取得された周辺地図が表示部６０の表示画面上に表示されると共に、表示禁止領域の指定を受け付ける画面が表示される（ステップＳ４）。
【００５８】
表示部６０の表示画面上に表示された周辺の地図情報に基づいて、入力部５０により表示禁止領域の指定指示が受け付けられる（ステップＳ５）。
【００５９】
表示禁止領域の指定指示が受け付けられたか否かが判別され（ステップＳ６）、表示禁止領域の指定指示が受け付けられていないと判別された場合（ステップＳ６；Ｎｏ）、ステップＳ５に戻る。
【００６０】
表示禁止領域の指定指示が受け付けられたと判別された場合（ステップＳ６；Ｙｅｓ）、指定指示された領域に対応する位置情報が生成され（ステップＳ７）、生成された位置情報に応じて指定された領域を表示禁止領域として表示禁止領域テーブル内に記憶され（ステップＳ８）、本処理は終了される。
【００６１】
図４に、ステップＳ５において表示部６０の表示画面上に表示された周辺の地図情報と表示禁止領域の指定指示がされた領域設定画面Ｇ１の一例を示す。
【００６２】
図４に示すように、表示禁止領域の指定指示がされた領域設定画面Ｇ１には、入力された住所の周辺の地図情報に基づく地図Ｂと、矩形の表示禁止領域枠Ａが表示されている。
表示禁止領域枠Ａは、２点の座標点を対角線の端点として形成された矩形の領域を示す枠であり、この表示禁止領域枠Ａの内側の領域（図４における斜線部の領域）が表示禁止領域を示している。また、表示禁止領域枠Ａを形成する２点の座標点を、一方の座標点を第１座標Ａ１、他方の座標点を第２座標Ａ２とし、この２点の座標点が入力部５０により指定されることにより表示禁止領域枠Ａが形成され表示禁止領域が指定される。
【００６３】
例えば、第１座標Ａ１及び第２座標Ａ２の指定は、十字釦を用いてカーソル位置を表示部６０の表示画面上に表示された地図Ｂ上において移動させ、所望する位置において決定釦が押下されることにより指定され、指定された表示画面上のカーソル位置と地図情報とから、指定された座標点に対応する位置情報（緯度、経度）が生成される。
【００６４】
なお、本実施の形態１における表示禁止領域枠Ａは第１座標Ａ１及び第２座標Ａ２とに基づいて形成される矩形の枠として説明したが、第１座標Ａ１又は第２座標Ａ２のいずれか一方の座標を中心とし、他方の座標を中心とした座標を中心とする円の半径を示す座標とする円としてもよい。更に、指定する座標は２以上でもよく、例えば、楕円を形成する３点であってもよい。即ち、領域を指定することが可能であれば、座標の数及び枠の形状は問わない。
【００６５】
図５に、表示禁止領域テーブルの一例を示す。
図５に示すように、表示禁止領域テーブルＴ２は、設定された表示禁止領域の名称を示す表示禁止領域名称フィールドＴ２１と、表示禁止領域の名称に対応する表示禁止領域の位置情報を示す位置情報フィールドＴ２２とからなるレコードが設定された表示禁止領域の総数分集まって形成されているデータテーブルである。
【００６６】
位置情報フィールドＴ２２は、第１座標Ａ１の位置情報（緯度及び経度）を示す第１座標フィールドＴ２２ａと、第２座標Ａ２の位置情報（緯度及び経度）を示す第２座標フィールドＴ２２ｂとからなる。
【００６７】
このように、表示禁止領域設定処理によれば、入力部５０により受け付けられた位置情報（住所）に基づいて制限領域としての表示禁止領域を設定することができるため、ユーザが所望する表示禁止領域を設定することができ、ユーザに対する利便性を向上させることができる。
図６に、本実施の形態１における表示禁止画像設定処理のフローチャートを示す。
図６に示す表示禁止画像設定処理は、表示部６０の表示画面上に画像記憶部３０に記憶された画像データが表示された際に、ＣＰＵ１０と主記憶部２０に記憶されている表示禁止画像設定処理プログラムとの協働によるソフトウエア処理により実現される処理である。
【００６８】
まず、表示部６０の表示画面上に表示されている画像又はフォルダのうち、いずれかを選択する選択指示が入力部５０により受け付けられたか否かが判別される（ステップＳ１１）。例えば、表示画面上に表示されている画像又はフォルダのうち、十字釦によりカーソル位置が移動され、いずれかの画像又はフォルダ上で決定釦が押下された場合には、カーソル位置に該当する画像又はフォルダが選択されたこととなる。
【００６９】
選択指示が受け付けられていないと判別された場合（ステップＳ１１；Ｎｏ）、選択指示が受け付けられるまで待機する。
【００７０】
選択指示が受け付けられたと判別された場合（ステップＳ１１；Ｙｅｓ）、表示禁止領域内での表示動作を適用するか否かの表示条件を受け付ける設定画面が表示部６０に表示され、入力部５０により表示禁止領域内での表示条件（表示又は非表示）の設定指示が受け付けられる（ステップＳ１２）。
【００７１】
表示条件が受け付けられると（ステップＳ１２後）、入力部５０により受け付けられた表示条件は、表示禁止領域内での表示動作を適用する（非表示とする）か否かが判別される（ステップＳ１３）。
【００７２】
表示条件が非表示でないと判別された場合（ステップＳ１３；Ｎｏ）、画像表示条件テーブルにおいて、選択された画像又はフォルダに対する表示制限フラグは降りた状態（０の状態）に設定され、本処理は終了される。
【００７３】
表示条件が非表示であると判別された場合（ステップＳ１３；Ｙｅｓ）、画像表示条件テーブルにおいて、選択された画像又はフォルダに対する表示制限フラグが立てられ（１の状態）に設定され（ステップＳ１４）、本処理は終了される。
【００７４】
図７に、画像表示条件テーブルの一例を示す。
図７に示すように、画像表示条件テーブルＴ３は、各画像データ又はフォルダを識別する識別番号を示す識別番号フィールドＴ３１と、識別番号に対応する表示制限フラグを示すフラグフィールドＴ３２とからなるレコードが複数集まって形成されているデータテーブルである。
【００７５】
表示制限フラグは、１の場合には、表示禁止領域内での表示動作を適用する、即ち、画像データ又はフォルダ内の画像データを非表示とする表示動作を示し、０の場合には、表示禁止領域内での表示動作を適用しない、即ち、画像データ又はフォルダ内の画像データを表示とする表示動作を示している。
【００７６】
例えば、識別番号が０００１のレコードでは、識別番号が０００１に対応する画像データ又はフォルダ内の画像データは、現在の位置情報が表示禁止領域内では表示部６０の表示画面上に表示させ、表示禁止領域外では表示させる表示動作を示し、識別番号が０００２のレコードでは、識別番号が０００２に対応する画像データ又はフォルダ内の画像データは、現在の位置情報が表示禁止領域内であっても表示禁止領域外であっても表示部６０の表示画面上に表示させる表示動作を示している。
【００７７】
図８に、本実施の形態１における第１表示処理のフローチャートを示す。
図８に示す第１表示処理は、表示部６０の表示画面上に画像記憶部３０に記憶された画像データが表示される際に、ＣＰＵ１０と主記憶部２０に記憶されている第１表示処理プログラムとの協働によるソフトウエア処理により実現される処理である。
【００７８】
位置検出部４０により携帯機器１の現在の位置情報が取得され（ステップＳ２１）、主記憶部２０に記憶されている表示禁止領域テーブルＴ２が参照されて、取得された現在の位置情報は、表示禁止領域内であるか否かが判別される（ステップＳ２２）。
【００７９】
現在の位置情報が表示禁止領域内ではないと判別された場合（ステップＳ２２；Ｎｏ）、ステップＳ２１に戻る。
【００８０】
現在の位置情報が表示禁止領域内であると判別された場合（ステップＳ２２；Ｙｅｓ）、画像表示条件テーブルＴ３が参照されて、表示制限フラグが立っている（１である）画像データ又はフォルダ内の画像データに基づく画像の表示動作が非表示に設定され（ステップＳ２３）、表示部６０の表示画面上に非表示に設定されなかった画像データ又はフォルダ内の画像データに基づく画像が表示される（ステップＳ２４）。
【００８１】
表示部６０の表示画面上に画像が表示された後（ステップＳ２４）、位置検出部４０により現在の位置情報が取得され（ステップＳ２５）、主記憶部２０に記憶されている表示禁止領域テーブルＴ２が参照されて、取得された現在の位置情報は、表示禁止領域外であるか否かが判別される（ステップＳ２６）。
【００８２】
現在の位置情報が表示禁止領域外ではないと判別された場合（ステップＳ２６；Ｎｏ）、ステップＳ２５に戻り、現在の位置情報が表示禁止領域外と判別されるまで、ステップＳ２５及びステップＳ２６の動作が繰り返される。
【００８３】
現在の位置情報が表示禁止領域外であると判別された場合（ステップＳ２６；Ｙｅｓ）、画像表示条件テーブルＴ３が参照されて、表示制限フラグが立っている（１である）画像データ又はフォルダ内の画像データに基づく画像の表示動作が表示に設定され（ステップＳ２７）、ステップＳ２３において表示部６０の表示画面上で非表示であった画像データ又はフォルダ内の画像データに基づく画像が表示され、本処理は終了される。
【００８４】
図９に、本実施の形態１における撮影条件設定処理のフローチャートを示す。
図９に示す撮影条件設定処理は、被写体を撮影する撮影モードの場合において、シャッター釦が押下される前に、ＣＰＵ１０と主記憶部２０に記憶されている撮影条件設定処理プログラムとの協働によるソフトウエア処理により実現される処理である。
【００８５】
位置検出部４０により携帯機器１の現在の位置情報が取得され（ステップＳ３１）、通信部９０により位置検出部４０により取得された現在の位置情報に基づく携帯機器１の周辺の地図情報が取得される（ステップＳ３２）。
【００８６】
取得された携帯機器１の周辺の地図情報から、この地図情報内に含まれるランドマーク情報が取得され（ステップＳ３３）、取得されたランドマーク情報と撮影条件テーブルＴ１とが参照され、取得されたランドマーク情報を構成する文字列又は記号の中に、撮影条件テーブルＴ１の名称フィールドＴ１１に該当する名称を含むランドマーク情報があるか否かが判別される（ステップＳ３４）。
【００８７】
取得されたランドマーク情報を構成する文字列又は記号の中に、撮影条件テーブルＴ１の名称フィールドＴ１１に該当する名称を含むランドマーク情報がないと判別された場合（ステップＳ３４；Ｎｏ）、撮影条件は設定されず、本処理は終了される。
【００８８】
取得されたランドマーク情報を構成する文字列又は記号の中に、撮影条件テーブルＴ１の名称フィールドＴ１１に該当する名称を含むランドマーク情報ありと判別された場合（ステップＳ３４；Ｙｅｓ）、取得された携帯機器１の周辺の地図情報に基づいて撮影条件テーブルＴ１の名称フィールドＴ１１に該当する名称を含むランドマーク情報の位置情報が取得され、現在の位置情報に最も近いランドマーク情報が検出される（ステップＳ３５）。
【００８９】
検出されたランドマーク情報が含む名称に対応する撮影条件が撮影条件テーブルＴ１の撮影条件フィールドＴ１２の各撮影条件が読み出されて設定されると共に、アドレスフィールドＴ１３に示された格納アドレスが参照されてサンプル画像が表示部６０の表示画面上に表示され（ステップＳ３６）、本処理は終了される。
【００９０】
このように、画像毎の表示条件に応じて、現在の位置情報が表示禁止領域に含まれる場合、画像の表示動作を禁止して非表示とすることができ、表示禁止領域に含まれない場合、画像の表示動作を許可して表示させることができる。即ち、現在の位置情報が制限領域としての表示禁止領域に含まれる場合、画像毎の表示条件に応じて画像に対する動作を制御することができる。従って、画像記憶部３０内に記憶されている画像データが仕事に関する画像とプライベートに関する画像とが混在している場合であっても、例えば表示禁止領域を仕事場とした場合、仕事場でプライベートに関する画像が誤って他の人に公開されてしまう弊害を解消することができ、画像の表示動作を自動的に切り替えることができる。
【００９１】
また、フォルダ毎又は画像毎に、現在の位置情報が制限領域に含まれる場合、表示条件に応じて画像に対する動作を制御することができる。
【００９２】
更に、位置検出部４０により検出された現在の位置情報に基づき、通信部９０により取得された地図情報に含まれるランドマーク情報から、ランドマーク情報を構成する文字列又は記号に関連した撮影条件を読み出し、読み出された撮影条件に応じて撮像部８０の動作を制御することができるため、例えば、撮影時において撮影条件を設定し忘れて不鮮明な画像を得てしまうという弊害を解消することができ、ユーザに対する利便性を向上させることができる。
【００９３】
以上のことから、本実施の形態１によれば、現在の位置情報に応じて動作（表示動作及び撮影動作）が制御されるため、現在の位置に応じた設定のし忘れによる弊害を解消しユーザに対する利便性を向上させることができる。
【００９４】
[実施の形態２]
以下、図１０〜１４を参照して本発明の実施の形態２を詳細に説明する。
まず、構成を説明する。
本実施の形態２における携帯機器の構成を示すブロック図は、実施の形態１における図１と略同様であるため、図は省略し、異なる内容のみ説明する。
【００９５】
具体的には、本実施の形態２における主記憶部２０には、実施の形態１における表示禁止領域設定処理プログラム、表示禁止画像設定処理プログラム、第１表示処理プログラム、表示禁止領域テーブルＴ２、画像表示条件テーブルＴ３、に替えて、表示許可領域設定処理プログラム、表示許可画像設定処理プログラム、第２表示処理プログラム、表示許可領域テーブルＴ４、画像表示条件テーブルＴ５、が記憶されている。
【００９６】
本実施の形態２におけるＣＰＵ１０は、位置検出部４０により検出された現在の位置情報に関連する動作情報を主記憶部２０から読み出し、読み出された動作情報に応じて携帯機器１内の動作を制御する制御手段であり、詳しくは、主記憶部２０に記憶されている表示許可領域設定処理プログラム、表示許可画像設定処理プログラム、第２表示処理プログラム、撮影条件設定処理プログラムを始めとする各種処理プログラムや各種データを読み出してワークエリアに展開し、その展開されたプログラムに従って、後述する表示許可領域設定処理（図１０参照）、表示許可画像設定処理（図１２参照）、第２表示処理（図１４参照）、撮影条件設定処理を始めとする各種処理を実行する。
【００９７】
ＣＰＵ１０は、表示許可領域設定処理プログラムを実行することにより、画像記憶部３０に記憶されている画像データに基づく画像を表示部６０に表示させる際の表示動作が画像毎に定められた表示条件に基づいて制限される領域を示す制限領域を設定する。本実施の形態２における制限領域としては、表示条件に基づいて画像データに基づく画像を表示部６０に表示させる表示動作が許可される領域を示す表示許可領域である。
【００９８】
ＣＰＵ１０は、表示許可画像設定処理プログラムを実行することにより、画像記憶部３０に記憶されている画像データに基づく画像を表示部６０に表示させる際の表示条件を設定する。本実施の形態２における表示条件としては、画像記憶部３０に記憶されている画像データ毎に定められており、表示部６０に画像記憶部３０に記憶されている画像データを画像として表示させる際、表示許可領域に応じた表示動作を適用するか否かを示す条件である。即ち、表示許可領域内においてのみ画像データを表示部６０に表示させるか否かの条件である。
【００９９】
ＣＰＵ１０は、第２表示処理プログラムを実行することにより、画像毎の表示条件に応じて、位置検出部４０により検出された現在の位置情報が制限領域としての表示許可領域に含まれる場合、画像記憶部３０に記憶されている画像データに基づく画像を表示部６０に表示させる表示動作を許可して表示させ、表示許可領域に含まれない場合、画像記憶部３０に記憶されている画像データに基づく画像を表示部６０に表示させる表示動作を禁止して非表示にさせる。
【０１００】
なお、本実施の形態２における撮影条件設定処理は、実施の形態１の撮影条件設定処理と同様であるため、図示及び説明は省略する。
【０１０１】
次に、本実施の形態２の動作を説明する。
図１０に本実施の形態２における表示許可領域設定処理のフローチャートを示す。図１０に示す表示許可領域設定処理は、ＣＰＵ１０と主記憶部２０に記憶されている表示許可領域設定処理プログラムとの協働によるソフトウエア処理により実現される処理である。
【０１０２】
入力部５０により表示許可領域の設定指示を行う旨の設定釦が押下されたか否か、即ち、表示許可領域の設定指示が受け付けられたか否かが判別され（ステップＳ４１）、表示許可領域の設定指示が受け付けられていないと判別された場合（ステップＳ４１；Ｎｏ）、表示許可領域の設定指示が受け付けられるまで待機する。
【０１０３】
表示許可領域の設定指示が受け付けられた判別された場合（ステップＳ４１；Ｙｅｓ）、住所入力を受け付ける住所入力画面が表示部６０の表示画面上に表示され、入力部５０から住所の入力が受け付けられる（ステップＳ４２）。住所の入力としての例の説明は、実施の形態１と同様であるため省略する。
【０１０４】
住所が受け付けられると（ステップＳ４２後）、受け付けられた住所に基づく周辺の地図情報が取得される（ステップＳ４３）。住所に基づく周辺の地図情報の取得の例の説明は、実施の形態１と同様であるため省略する。
【０１０５】
受け付けられた住所に基づく周辺の地図情報が取得されると（ステップＳ４３後）、取得された周辺地図が表示部６０の表示画面上に表示されると共に、表示許可領域の指定を受け付ける画面が表示される（ステップＳ４４）。
【０１０６】
表示部６０の表示画面上に表示された周辺の地図情報に基づいて、入力部５０により表示許可領域の指定指示が受け付けられる（ステップＳ４５）。
【０１０７】
表示許可領域の指定指示が受け付けられたか否かが判別され（ステップＳ４６）、表示許可領域の指定指示が受け付けられていないと判別された場合（ステップＳ４６；Ｎｏ）、ステップＳ５５に戻る。
【０１０８】
表示許可領域の指定指示が受け付けられたと判別された場合（ステップＳ４６；Ｙｅｓ）、指定指示された領域に対応する位置情報が生成され（ステップＳ４７）、生成された位置情報に応じて指定された領域を表示許可領域として表示許可領域テーブルＴ４内に記憶され（ステップＳ４８）、本処理は終了される。
【０１０９】
ステップＳ４５において表示部６０の表示画面上に表示された周辺の地図情報と表示許可領域の指定指示がされた領域設定画面の例は、実施の形態１の領域設定画面Ｇ１の表示禁止領域枠Ａが表示許可領域を示す枠（表示許可領域枠）に替えられる以外は同様であるため、図示及び説明は省略する。
【０１１０】
図１１に、表示許可領域テーブルの一例を示す。
図１１に示すように、表示許可領域テーブルＴ４は、設定された表示許可領域の名称を示す表示許可領域名称フィールドＴ４１と、表示許可領域の名称に対応する表示許可領域の位置情報を示す位置情報フィールドＴ４２とからなるレコードが設定された表示許可領域の総数分集まって形成されているデータテーブルである。
【０１１１】
位置情報フィールドＴ４２は、第１座標Ａ１の位置情報（緯度及び経度）を示す第１座標フィールドＴ４２ａと、第２座標Ａ２の位置情報（緯度及び経度）を示す第２座標フィールドＴ４２ｂとからなる。
【０１１２】
図１２に、本実施の形態２における表示許可画像設定処理のフローチャートを示す。
図１２に示す表示許可画像設定処理は、表示部６０の表示画面上に画像記憶部３０に記憶された画像データが表示された際に、ＣＰＵ１０と主記憶部２０に記憶されている表示許可画像設定処理プログラムとの協働によるソフトウエア処理により実現される処理である。
【０１１３】
まず、表示部６０の表示画面上に表示されている画像又はフォルダのうち、いずれかを選択する選択指示が入力部５０により受け付けられたか否かが判別される（ステップＳ５１）。ステップＳ５１におけるる画像又はフォルダの選択指示の例は、実施の形態１におけるステップＳ１と同様であるため、説明は省略する。
【０１１４】
選択指示が受け付けられていないと判別された場合（ステップＳ５１；Ｎｏ）、選択指示が受け付けられるまで待機する。
【０１１５】
選択指示が受け付けられたと判別された場合（ステップＳ５１；Ｙｅｓ）、表示許可領域内での表示動作を適用するか否かの表示条件を受け付ける設定画面が表示部６０に表示され、入力部５０により表示許可領域外での表示条件（表示又は非表示）の設定指示が受け付けられる（ステップＳ５２）。
【０１１６】
表示条件が受け付けられると（ステップＳ５２後）、入力部５０により受け付けられた表示条件は、表示許可領域内での表示動作を適用し、表示許可領域外では表示動作を非表示とするか否かが判別される（ステップＳ５３）。
【０１１７】
表示条件が非表示でないと判別された場合（ステップＳ５３；Ｎｏ）、画像表示条件テーブルにおいて、選択されたる画像又はフォルダに対する表示制限フラグは降りた状態（０の状態）に設定され、本処理は終了される。
【０１１８】
表示条件が非表示であると判別された場合（ステップＳ５３；Ｙｅｓ）、画像表示条件テーブルにおいて、選択されたる画像又はフォルダに対する表示制限フラグが立てられ（１の状態）に設定され（ステップＳ５４）、本処理は終了される。
【０１１９】
図１３に、画像表示条件テーブルの一例を示す。
図１３に示すように、画像表示条件テーブルＴ５は、各画像データ又はフォルダを識別する識別番号を示す識別番号フィールドＴ５１と、識別番号に対応する表示制限フラグを示すフラグフィールドＴ５２とからなるレコードが複数集まって形成されているデータテーブルである。
【０１２０】
表示制限フラグは、１の場合には、表示許可領域内での表示動作を適用する、即ち、表示許可領域のみ画像データの表示動作を許可して表示させる表示動作を示し、０の場合には、表示許可領域に拘わらず画像データの表示動作を許可する表示動作を示している。
【０１２１】
例えば、識別番号が０００１のレコードでは、識別番号が０００１に対応する画像データ又はフォルダ内の画像データは、現在の位置情報が表示許可領域内でのみ表示部６０の表示画面上に表示され、表示許可領域外では表示されない動作状態を示し、識別番号が０００２のレコードでは、識別番号が０００２に対応する画像データ又はフォルダ内の画像データは、現在の位置情報が表示許可領域内であっても表示許可領域外であっても表示部６０の表示画面上に表示される動作状態を示している。
【０１２２】
このように、表示許可領域設定処理によれば、入力部５０により受け付けられた位置情報（住所）に基づいて制限領域としての表示許可領域を設定することができるため、ユーザが所望する表示許可領域を設定することができ、ユーザに対する利便性を向上させることができる。
【０１２３】
図１４に、本実施の形態２における第２表示処理のフローチャートを示す。
図１４に示す第２表示処理は、表示部６０の表示画面上に画像記憶部３０に記憶された画像データが表示される際に、ＣＰＵ１０と主記憶部２０に記憶されている第２表示処理プログラムとの協働によるソフトウエア処理により実現される処理である。
【０１２４】
位置検出部４０により携帯機器１の現在の位置情報が取得され（ステップＳ６１）、主記憶部２０に記憶されている表示許可領域テーブルＴ４が参照されて、取得された現在の位置情報は、表示許可領域内であるか否かが判別される（ステップＳ６２）。
【０１２５】
現在の位置情報が表示許可領域内ではないと判別された場合（ステップＳ６２；Ｎｏ）、ステップＳ６１に戻る。
【０１２６】
現在の位置情報が表示禁止領域内であると判別された場合（ステップＳ６２；Ｙｅｓ）、画像表示条件テーブルＴ５が参照されて、表示制限フラグが立っている（１である）画像データ又はフォルダ内の画像データに基づく画像の表示動作が許可されて表示に設定され（ステップＳ６３）、表示部６０の表示画面上に画像記憶部３０に記憶されている全ての画像データ又はフォルダ内の画像データに基づく画像が表示される（ステップＳ６４）。
【０１２７】
表示部６０の表示画面上に画像が表示された後（ステップＳ６４）、位置検出部４０により現在の位置情報が取得され（ステップＳ６５）、主記憶部２０に記憶されている表示許可領域テーブルＴ４が参照されて、取得された現在の位置情報は、表示許可領域外であるか否かが判別される（ステップＳ６６）。
【０１２８】
現在の位置情報が表示許可領域外ではないと判別された場合（ステップＳ６６；Ｎｏ）、ステップＳ６５に戻り、現在の位置情報が表示許可領域外と判別されるまで、ステップＳ６５及びステップＳ６６の動作が繰り返される。
【０１２９】
現在の位置情報が表示許可領域外であると判別された場合（ステップＳ６６；Ｙｅｓ）、画像表示条件テーブルＴ５が参照されて、表示制限フラグが立っている（１である）画像データ又はフォルダ内の画像データに基づく画像の表示動作の表示の許可が解除されて非表示に設定され（ステップＳ６７）、非表示に設定された画像データ又はフォルダ内の画像データ以外の画像データに基づく画像が表示され、本処理は終了される。
【０１３０】
このように、表示許可条件に応じて、現在の位置情報が表示許可領域に含まれる場合、画像の表示動作を許可して表示させることができ、表示許可領域に含まれない場合、画像の表示動作を禁止して非表示とさせることができる。即ち、現在の位置情報が制限領域としての表示許可領域に含まれる場合、表示条件に応じて画像に対する動作を制御することができる。
従って、画像記憶部３０内に記憶されている画像データが仕事に関する画像とプライベートに関する画像とが混在している場合であっても、例えば表示許可領域をプライベートの場所とした場合、プライベートの場所以外で、プライベートに関する画像が誤って他の人に公開されてしまう弊害を解消することができ、画像の表示動作を自動的に切り替えることができる。
【０１３１】
また、フォルダ毎又は画像毎に、現在の位置情報が制限領域に含まれる場合、表示条件に応じて画像に対する動作を制御することができる。
【０１３２】
更に、実施の形態１と同様に、位置検出部４０により検出された現在の位置情報に基づき、通信部９０により取得された地図情報に含まれるランドマーク情報から、ランドマーク情報を構成する文字列又は記号に関連した撮影条件を読み出し、読み出された撮影条件に応じて撮像部８０の動作を制御することができるため、例えば、撮影時において撮影条件を設定し忘れて不鮮明な画像を得てしまうという弊害を解消することができ、ユーザに対する利便性を向上させることができる。
【０１３３】
以上のことから、本実施の形態２によれば、現在の位置情報に応じて動作（表示動作及び撮影動作）が制御されるため、現在の位置に応じた設定のし忘れによる弊害を解消しユーザに対する利便性を向上させることができる。
【図面の簡単な説明】
【０１３４】
【図１】実施の形態１における携帯機器１の構成を示すブロック図である。
【図２】撮影条件テーブルの一例である。
【図３】実施の形態１における表示禁止領域設定処理のフローチャートである。
【図４】領域設定画面Ｇ１の一例である。
【図５】実施の形態１における表示禁止領域テーブルの一例である。
【図６】実施の形態１における表示禁止画像設定処理のフローチャートである。
【図７】実施の形態１における画像表示条件テーブルの一例である。
【図８】実施の形態１における第１表示処理のフローチャートである。
【図９】実施の形態１における撮影条件設定処理のフローチャートである。
【図１０】実施の形態２における表示許可領域設定処理のフローチャートである。
【図１１】実施の形態２における表示許可領域テーブルの一例である。
【図１２】実施の形態２における表示許可画像設定処理のフローチャートである。
【図１３】実施の形態２における画像表示条件テーブルの一例である。
【図１４】実施の形態２における第２表示処理のフローチャートである。
【符号の説明】
【０１３５】
１  携帯機器
２  地図情報サーバ
１０  ＣＰＵ
２０  主記憶部
３０  画像記憶部
４０  位置検出部
４１  ＧＰＳアンテナ
４２  ＧＰＳ制御部
５０  入力部
６０  表示部
７０  音声入出力部
７１  音声処理部
７２  スピーカー
７３  マイク
８０  撮像部
８１  レンズブロック
８２  モータ
８３  モータドライバ
８４  ＣＣＤ
８５  垂直／水平ドライバ
８６  ＣＤＳ／ＡＤ回路部
８７  画像処理部
８８  タイミング発生器
８９  ストロボ
９０  通信部
Ａ  表示禁止領域枠
Ａ１  第１座標
Ａ２  第２座標
Ｂ  地図
Ｇ１  領域設定画面
Ｔ１  撮影条件テーブル
Ｔ１１  名称フィールド
Ｔ１２  撮影条件フィールド
Ｔ１３  アドレスフィールド
Ｔ２  表示禁止領域テーブル
Ｔ２１  表示禁止領域名称フィールド
Ｔ２２、Ｔ４２  位置情報フィールド
Ｔ２２ａ、Ｔ４２ａ  第１座標フィールド
Ｔ２２ｂ、Ｔ４２ｂ  第２座標フィールド
Ｔ３、Ｔ５  画像表示条件テーブル
Ｔ３１、Ｔ５１  識別番号フィールド
Ｔ３２、Ｔ５２  フラグフィールド
Ｔ４  表示許可領域テーブル
Ｔ４１  表示許可領域名称フィールド
【図１】
2007266928.tif 000003
【図２】
2007266928.tif 000004
【図３】
2007266928.tif 000005
【図４】
2007266928.tif 000006
【図５】
2007266928.tif 000007
【図６】
2007266928.tif 000008
【図７】
2007266928.tif 000009
【図８】
2007266928.tif 000010
【図９】
2007266928.tif 000011
【図１０】
2007266928.tif 000012
【図１１】
2007266928.tif 000013
【図１２】
2007266928.tif 000014
【図１３】
2007266928.tif 000015
【図１４】
2007266928.tif 000016